(57)【特許請求の範囲】
【請求項１】
充電ケーブル及び当該充電ケーブルを巻き取る巻取り手段を備えた充電手段と、
建物の外壁に形成され、屋内外を連通する外壁開口部と、
建物の屋内側でかつ前記外壁開口部に臨む位置に設けられ、前記充電手段を収納する屋内収納スペースが設けられたケーブル収納部と、
前記建物の外壁に設けられ、前記充電手段が少なくとも前記外壁開口部を通して見えないように前記外壁開口部を覆うケースと、
を有する充電ケーブル収納装置。
【請求項２】
前記充電手段は、前記建物の外壁又は屋内側に配置された構造材に取外し可能に装着されている、
ことを特徴とする請求項１記載の充電ケーブル収納装置。
【請求項３】
前記充電手段が前記外壁又は前記構造材に設けられた充電手段取付部から取外されるのを阻止すると共に解除操作により解除可能なロック手段を備えている、
ことを特徴とする請求項２記載の充電ケーブル収納装置。
【請求項４】
前記ケースは、屋外灯の照明部を覆うケースとされている、
ことを特徴とする請求項１〜請求項３のいずれか１項に記載の充電ケーブル収納装置。
【請求項５】
前記ケースは、屋外灯の照明部を覆うケースとされ、
前記充電手段が取外された状態で前記照明部が点灯されたときには、当該照明部に適合する電圧の電力が当該照明部に給電され、前記充電手段が装着された状態で前記照明部が点灯されかつ充電が開始されたときには、当該照明部に適合する電圧の電力が当該照明部に給電されると共に当該充電手段に適合する電圧の電力が当該充電手段に給電される、
ことを特徴とする請求項２又は請求項３記載の充電ケーブル収納装置。
【請求項６】
前記ケース内には、前記充電ケーブルの移動時に当該充電ケーブルの表面を清浄する清浄装置が設けられている、
ことを特徴とする請求項１〜請求項５のいずれか１項に記載の充電ケーブル収納装置。
【請求項７】
前記清浄装置は、前記充電ケーブルの外周面に弾性的に圧接されるリップ部を備えている、
ことを特徴とする請求項６記載の充電ケーブル収納装置。
【発明の詳細な説明】
【技術分野】
【０００１】
本発明は、充電ケーブル収納装置に関する。
【背景技術】
【０００２】
下記特許文献１には、電気自動車用の充電ケーブルを巻き取る充電ケーブル収納装置をガレージの壁に設けた技術が開示されている。
【先行技術文献】
【特許文献】
【０００３】
【特許文献１】特開平０８−０３３１２１号公報
【発明の概要】
【発明が解決しようとする課題】
【０００４】
上記先行技術による場合、充電ケーブル収納装置をガレージの壁に設置することを前提としているので、充電ケーブル収納装置が露出された状態となっている。しかし、充電ケーブルの設置箇所を建物の外壁とした場合、充電ケーブル収納装置が露出された状態となるのは外観上好ましくない。
【０００５】
また、現状では、バッテリを満充電するには長時間かかる。このため、自動車で旅行等をする場合に出発時刻までに充電が間に合わない場合がある。しかし、このような場合でも、上記先行技術による場合、ガレージ内で充電できるところまで充電し、バッテリに蓄えた電力がなくなる前に充電設備があるスタンド等に立ち寄らなければならない。このため、非常に不便である。
【０００６】
本発明は上記事実を考慮し、建物の外壁を利用して充電手段を収納する場合に建物の外観品質を良好に維持することができる充電ケーブル収納装置を得ることを第１の目的とし、旅行時等の不便さをある程度解消することができる充電ケーブル収納装置を得ることを第２の目的とする。
【課題を解決するための手段】
【０００８】
請求項１記載の本発明に係る充電ケーブル収納装置は、充電ケーブル及び当該充電ケーブルを巻き取る巻取り手段を備えた充電手段と、建物の外壁に形成され、屋内外を連通する外壁開口部と、建物の屋内側でかつ前記外壁開口部に臨む位置に設けられ、前記充電手段を収納する屋内収納スペースが設けられたケーブル収納部と、前記建物の外壁に設けられ、前記充電手段が少なくとも前記外壁開口部を通して見えないように前記外壁開口部を覆うケースと、を有している。
【０００９】
請求項２記載の本発明に係る充電ケーブル収納装置は、請求項１記載の発明において、前記充電手段は、前記建物の外壁又は屋内側に配置された構造材に取外し可能に装着されている、ことを特徴としている。
【００１０】
請求項３記載の本発明に係る充電ケーブル収納装置は、請求項２記載の発明において、前記充電手段が前記外壁又は前記構造材に設けられた充電手段取付部から取外されるのを阻止すると共に解除操作により解除可能なロック手段を備えている、ことを特徴としている。
【００１１】
請求項４記載の本発明に係る充電ケーブル収納装置は、請求項１〜請求項３のいずれか１項に記載の発明において、前記ケースは、屋外灯の照明部を覆うケースとされている、ことを特徴としている。
【００１２】
請求項５記載の本発明に係る充電ケーブル収納装置は、請求項２又は請求項３記載の発明において、前記ケースは、屋外灯の照明部を覆うケースとされ、前記充電手段が取外された状態で前記照明部が点灯されたときには、当該照明部に適合する電圧の電力が当該照明部に給電され、前記充電手段が装着された状態で前記照明部が点灯されかつ充電が開始されたときには、当該照明部に適合する電圧の電力が当該照明部に給電されると共に当該充電手段に適合する電圧の電力が当該充電手段に給電される、ことを特徴としている。
【００１３】
請求項６記載の本発明に係る充電ケーブル収納装置は、請求項１〜請求項５のいずれか１項に記載の発明において、前記ケース内には、前記充電ケーブルの移動時に当該充電ケーブルの表面を清浄する清浄装置が設けられている、ことを特徴としている。
【００１４】
請求項７記載の本発明に係る充電ケーブル収納装置は、請求項６記載の発明において、前記清浄装置は、前記充電ケーブルの外周面に弾性的に圧接されるリップ部を備えている、ことを特徴としている。
【００１６】
請求項１記載の本発明によれば、建物の外壁には屋内外を連通する外壁開口部が形成されており、建物の屋内側における外壁開口部に臨む位置にはケーブル収納部が設けられている。本発明では、このケーブル収納部が備える屋内収納スペースに充電手段が収納される。このため、何も設けない場合には外部から外壁開口部を通して充電手段が見える。しかし、本発明では、外壁開口部がケースで覆われているので、充電手段が少なくとも外壁開口部を通して見えることはない。
【００１７】
請求項２記載の本発明によれば、充電手段が建物の外壁又は屋内側に配置された構造材に取外し可能に装着されているので、例えば自動車で旅行するときに充電手段を取外して持ち運ぶことができる。このため、充電スタンドを探さなくても、充電ケーブルを接続できる場所にさえ確保することができれば、充電が可能になる。
【００１８】
請求項３記載の本発明によれば、外壁又は構造材に設けられた充電手段取付部から充電手段を取外すためにはロック手段の解除操作が必要になる。
【００１９】
請求項４記載の本発明によれば、屋外灯の照明部を覆うケースを利用して充電手段が収納されるので、専用部品を新設する必要がない。また、夜間に充電手段を取外す場合には、屋外灯が点灯していると安全かつ迅速に作業を行うことができる。
【００２０】
請求項５記載の本発明によれば、ケース内には屋外灯の照明部が存在し、かつ充電手段は着脱可能とされた構成が前提となる。そして、充電手段が取外された状態で照明部が点灯された場合には、照明部に適合する電圧（即ち、充電手段に適合する電圧に比べて小さい電圧）の電力が給電される。一方、充電手段が装着された状態で照明部が点灯されかつ充電が開始された場合には、すべての給電電圧を照明部に適合する電圧に合わせると充電手段側では電圧不足になり、逆にすべての給電電圧を充電手段に適合する電圧に合わせると照明部の電圧が過電圧となる。従って、この場合には、照明部にはこれに適合する電圧の電力が給電され、充電手段にはこれに適合する電圧の電力が給電される。
【００２１】
請求項６記載の本発明によれば、ケース内には清浄装置が設けられており、充電ケーブルが移動すると、充電ケーブルの表面が清浄される。
【００２２】
請求項７記載の本発明によれば、充電ケーブルの外周面にはリップ部が弾性的に圧接されているので、充電ケーブルを移動させると、充電ケーブルの外周面上をリップ部が摺動することで、充電ケーブルの表面が清浄される。
【発明の効果】
【００２３】
以上説明したように、請求項１記載の本発明に係る充電ケーブル収納装置は、建物の外壁を利用して充電手段を収納する場合に建物の外観品質を良好に維持することができるという優れた効果を有する。
【００２４】
請求項２記載の本発明に係る充電ケーブル収納装置は、旅行時等の不便さをある程度解消することができるという優れた効果を有する。
【００２５】
請求項３記載の本発明に係る充電ケーブル収納装置は、充電に長時間かかっても、その間に充電手段が盗難に遭うのを防止することができるという優れた効果を有する。
【００２６】
請求項４記載の本発明に係る充電ケーブル収納装置は、コスト増加を抑制することができ、しかも夜間で作業をする場合の安全性及び作業性を向上させることができるという優れた効果を有する。
【００２７】
請求項５記載の本発明に係る充電ケーブル収納装置は、充電手段の装着の有無に応じて適切な電力供給をすることができるという優れた効果を有する。
【００２８】
請求項６記載の本発明に係る充電ケーブル収納装置は、充電する度に清浄された充電ケーブルを使うことができるという優れた効果を有する。
【００２９】
請求項７記載の本発明に係る充電ケーブル収納装置は、簡易かつ廉価な構成で充電ケーブルを清浄することができるという優れた効果を有する。
【図面の簡単な説明】
【００３０】
【図１】第１実施形態に係り、ケーブル収納時の充電ケーブル収納装置の全体構成を示す縦断面図である。
【図２】図１に示されるスプールのロック機構を中心に示す要部拡大断面図である。
【図３】（Ａ）は図２に示されるロック部材を更に拡大した要部拡大断面図であり、（Ｂ）は（Ａ）のロックピンの進退機構を拡大して示す要部拡大断面図である。
【図４】図１に示される充電ケーブル収納装置を備えた建物の全体構成図である。
【図５】充電ケーブル収納装置の車両充電時の状態を示す図１に対応する縦断面図である。
【図６】充電ケーブル収納装置の旅行時の状態を示す図１に対応する縦断面図である。
【図７】第２実施形態に係る充電ケーブル収納装置を備えた建物の全体構成図である。
【図８】図７に示される充電ケーブル収納装置のケーブル収納状時の状態を示す図１に対応する縦断面図である。
【図９】図７に示される充電ケーブル収納装置の車両充電時の状態を示す図５に対応する縦断面図である。
【図１０】図７に示される充電ケーブル収納装置の旅行時の状態を示す図６に対応する縦断面図である。
【図１１】第３実施形態に係り、（Ａ）は充電ケーブル収納装置のケーブル収納状時の状態を示す図１に対応する縦断面図であり、（Ｂ）は清浄装置の平面図である。
【図１２】（Ａ）は図１１に示される清浄装置の斜視図であり、（Ｂ）はその縦断面図である。
【図１３】清浄装置の変形例に係り、（Ａ）は図１２（Ａ）に対応する清浄装置の斜視図であり、（Ｂ）はその縦断面図である。
【発明を実施するための形態】
【００３１】
〔第１実施形態〕
以下、図１〜図６を用いて、本発明に係る充電ケーブル収納装置の第１実施形態について説明する。
【００３２】
図４には、本実施形態に係る充電ケーブル収納装置が設置された建物の外観が示されている。この図に示されるように、建物１０は、基礎１２と、この基礎１２上に設けられた一階部分１４と、更に一階部分１４の上に設けられた二階部分１８と、二階部分１８の上に設置された屋根部分２０と、によって構成されている。なお、上記建物１０は、ユニット工法によって構築されたユニット住宅でもよいし、それ以外の軸組工法等による住宅でもよく、更に住宅以外の用途の建物でもよい。
【００３３】
図１には、充電ケーブル収納装置のケーブル収納状態の縦断面図が示されている。この図に示されるように、一階部分１４の外壁２２の上部には、充電ケーブル収納装置２４が設置されている。充電ケーブル収納装置２４は、縦断面形状が四分円形状とされると共に下方が開放されたケースとしてのフード２６を備えている。フード２６の基端部は、外壁２２の外装材２８にビス３０等によって取り付けられている。また、フード２６の内部上方側には、照明部３２が設置されている。この照明部３２とフード２６とで屋外灯３４が構成されている。なお、照明部３２は、フード２６の裏面に沿って配索された照明用ケーブル３６を介して後述する電源部４６に接続されている。
【００３４】
また、上記フード２６の内部（照明部３２の設置スペースを除いた部分）は、次述する充電手段を収納するための屋外収納スペース３８とされている。屋外収納スペース３８には、長尺状の充電ケーブル４０と、この充電ケーブル４０を巻き取る巻取り手段としてのスプール４２と、が収納されている。なお、充電ケーブル４０及びスプール４２が、本発明における「充電手段」に相当する。スプール４２は、軸芯部に配置された円柱状の軸部４２Ａと、この軸部４２Ａの両端部に固定された左右一対のフランジ４２Ｂ、４２Ｃと、によって構成されており、全体としては鼓状に形成されている。また、充電ケーブル４０は、一端部がスプール４２の軸部４２Ａに係止された柔軟な長尺材であるケーブル本体４０Ａと、このケーブル本体４０Ａの他端部に設けられて電気自動車等の自動車４４（図４参照）に接続されるコネクタ４０Ｂと、によって構成されている。
【００３５】
上記構成の充電ケーブル４０が巻き取られたスプール４２は、外壁２２の外装材２８に固定された電源部４６に着脱可能に取り付けられている。具体的には、電源部４６は、外装材２８に形成された円形の開口部４８に嵌合された状態で固定されると共に宅内分電盤からの分岐配線５０が接続された電源本体部４６Ａと、この電源本体部４６Ａから同軸上に突出されてスプール４２を支持する連結支持部４６Ｂと、を含んで構成されている。電源本体部４６Ａ及び連結支持部４６Ｂはいずれも円柱状に形成されており、又連結支持部４６Ｂの方が電源本体部４６Ａよりも小径とされている。電源本体部４６Ａの外周部には、照明部３２から引き出された照明用ケーブル３６が接続されている。
【００３６】
また、上記電源部４６には、電圧制御部５２（代表的に図１にのみ図示）が内臓されている。この電圧制御部５２では、屋外灯３４の点灯スイッチがＯＮされた場合には、屋外灯３４の規定電圧（即ち、充電手段に適合する電圧に比べて小さい電圧であり、１００Ｖ）の電力を供給し、スプール４２の着脱の有無を固定接点５４と可動接点５６との導通から検知して、スプール４２が装着された状態で充電が開始された場合にはコネクタ４０Ｂの規定電圧（一例として２００Ｖ）の電力を供給するようになっている。
【００３７】
図２及び図３に示されるように、上述した連結支持部４６Ｂの軸方向の端面には、環状の固定接点５４が配設されている。さらに、連結支持部４６Ｂの軸芯部には、棒状の支軸５８が立設されている。支軸５８の軸長は、後述する貫通孔６２を貫通する長さに設定されている。
【００３８】
一方、スプール４２のフランジ４２Ｂ側の軸芯部には、連結支持部４６Ｂが嵌合可能な円柱状の凹部６０が形成されている。この凹部６０の底面には、固定接点５４と対向する位置に一対の可動接点５６が配設されている。各可動接点５６は板ばねで構成されており、略Ｌ字状に形成されている。スプール４２の凹部６０が電源部４６の連結支持部４６Ｂに装着された状態では、一対の可動接点５６の屈曲部が弾性復元力によって固定接点５４上を摺接するようになっている。なお、本実施形態では、電源部４６側に固定接点５４を設定し、スプール４２側に可動接点５６を設定する構成を採ったが、これに限らず、配置関係を逆にしてもよい。
【００３９】
また、凹部６０の軸芯部には、スプール４２の軸部４２Ａを貫通する貫通孔６２が形成されている。この貫通孔６２へは、連結支持部４６Ｂの軸芯部から立設された支軸５８が挿入されている。これにより、スプール４２は、連結支持部４６Ｂ及び支軸５８回りに回転可能とされている。また、支軸５８の先端部５８Ａは、貫通孔６２を貫通してフランジ４２Ｃ側から突出した状態で配置されている。この先端部５８Ａの外周部には、半径方向を軸方向とする円柱状の複数のロック孔６４が形成されている。
【００４０】
上記支軸５８の先端部５８Ａには、ロック部材６６が装着されている。ロック部材６６は、円柱形状に形成されており、一方の端面（フランジ４２Ｃと対向する端面）の軸芯部には支軸５８の先端部５８Ａが挿入可能な円柱形状の凹部６８が形成されている。なお、凹部６８は、ロック部材６６を貫通はしていない。ロック部材６６の軸芯部に凹部６８が形成されたことにより、ロック部材６６の凹部６８の周囲には環状の壁部７０が形成されている。この壁部７０には、支軸５８に形成された複数のロック孔６４と同軸上に配置され、かつ周方向に所定の間隔（例えば、１２０度間隔や１８０度間隔等）で円柱孔状のピン保持部７２が複数個形成されている。各ピン保持部７２には、小円柱形状のロックピン７４が挿入されている。ピン保持部７２の底部側にはソレノイド７６が配設されている。ソレノイド７６は通常は図示しない圧縮コイルスプリング等の付勢手段によってロックピン７４をピン保持部７２から伸び出させ、キー７８のロック解除ボタン８０が押されると、励磁されて付勢手段に抗してロックピン７４をピン保持部７２へ退避させるようになっている。また、上記のロック部材６６には、キー７８から送信された解除信号を受信するためのアンテナ８２が設けられている。なお、上記構成のうち、ロック孔６４、ロック部材６６、ロックピン７４、ソレノイド７６、キー７８及びアンテナ８２が、本発明における「ロック手段」に相当する。
【００４１】
（作用・効果）
次に、本実施形態の作用並びに効果について説明する。
【００４２】
図１に示されるように、本実施形態によれば、建物１０の外壁２２には屋外収納スペース３８を備えた屋外灯３４のフード２６が設けられており、この屋外収納スペース３８に充電手段である充電ケーブル４０及びスプール４２が電源部４６の連結支持部４６Ｂに支持された状態で収納される。この収納状態を建物１０の外壁２２の側方から見ても、フード２６に遮られるため、充電ケーブル４０及びスプール４２が見えることはない。その結果、本実施形態によれば、建物１０の外壁２２を利用して充電手段である充電ケーブル４０及びスプール４２を収納する場合に建物１０の外観品質を良好に維持することができる。
【００４３】
また、図５に示されるように、自動車４４（図４参照）への充電時には、コネクタ４０Ｂを把持して充電ケーブル４０をスプール４２から引き出せばよい。充電ケーブル４０を引き出すと、スプール４２が連結支持部４６Ｂ及び支軸５８回りに回転し、充電ケーブル４０を引き出すことができる。このとき、スプール４２が支軸５８回りに回転しても、可動接点５６が固定接点５４上を摺動することで、導通状態が確保される。
【００４４】
一方、図６に示されるように、図１に示される充電ケーブル４０の収納状態から自動車４４での旅行等により長距離を走行する場合には、以下の要領でスプール４２が連結支持部４６Ｂから取外される。
【００４５】
まず、図２及び図３に示されるように、フード２６の近くへ行き、キー７８の解除ボタン８０を押す。これにより、キー７８から解除信号が電波として送信され、この電波はアンテナ８２に受信される。アンテナ８２に解除信号が受信されると、ソレノイド７６が励磁される。これにより、ロックピン７４が、付勢手段の不勢力に抗してピン保持部７２の底部側へ引き込まれる（図３（Ｂ）の実線図示状態）。このため、ロックピン７４の先端部が支軸５８のロック孔６４から退避され、両者の係合状態が解除される。その結果、図６に示されるように、ロック部材６６を支軸５８から抜き取ることができ、更にはスプール４２を支軸５８から抜き取って取外すことができる。
【００４６】
このように本実施形態によれば、自動車４４で旅行等するときに充電手段である充電ケーブル４０及びスプール４２を取外して持ち運ぶことができる。このため、充電スタンドを探さなくても、充電ケーブル４０を接続できる場所にさえ確保することができれば、充電が可能になる。その結果、旅行時等の不便さをある程度解消することができる。
【００４７】
また、本実施形態では、充電ケーブル４０が巻き取られたスプール４２を電源部４６から取外すためにはキー７８を操作してロック部材６６によるロック状態を解除する解除操作が必要になる。従って、充電に長時間かかっても、その間にスプール４２が盗難に遭うことを防止することができる。
【００４８】
さらに、本実施形態では、屋外灯３４の照明部３２を覆うフード２６を利用して、充電ケーブル４０が巻き取られたスプール４２が収納されるので、充電手段を外部から見えないかたちで外壁２２の外側に収納するための専用部品を新設する必要がない。また、夜間にスプール４２を取外す場合には、屋外灯３４が点灯していると安全かつ迅速に作業を行うことができる。その結果、本実施形態によれば、コスト増加を抑制することができ、しかも夜間で作業をする場合の安全性及び作業性を向上させることができる。
【００４９】
また、本実施形態では、スプール４２が電源部４６から取外された状態で照明部３２が点灯された場合には、照明部３２に適合する電圧（即ち、充電ケーブル４０に適合する電圧に比べて小さい電圧であり、１００Ｖ）の電力が給電される。一方、スプール４２が電源部４６に装着された状態で照明部３２が点灯されかつ充電が開始された場合には、すべての給電電圧を照明部３２に適合する電圧に合わせると充電ケーブル４０側では電圧不足になり、逆にすべての給電電圧を充電ケーブル４０に適合する電圧に合わせると照明部３２の電圧が過電圧となる。従って、この場合には、照明部３２にはこれに適合する電圧（１００Ｖ）の電力が給電され、充電ケーブル４０にはこれに適合する電圧（一例として２００Ｖ）の電力が給電される。このため、スプール４２の装着の有無に応じて適切な電力供給をすることができる。
【００５０】
〔第２実施形態〕
以下、図７〜図１０を用いて、本発明に係る充電ケーブル収納装置の第２実施形態について説明する。なお、前述した第１実施形態と同一構成部分については、同一番号を付してその説明を省略する。
【００５１】
図７に示されるように、この第２実施形態では、充電ケーブル収納装置９０を建物１０の外壁２２の屋内側に収納した点に特徴がある。
【００５２】
具体的には、図８に示されるように、一階部分１４の外壁２２の上部には、屋内外を連通する外壁開口部９２が形成されている。外壁２２の屋内側には、外壁開口部９２に臨む位置にケーブル収納部９４が設けられている。このケーブル収納部９４は、一階の天井材９６から外壁２２の内装材９８に沿って平行に垂れ下がる下がり壁１００と、この下がり壁１００の下端部から天井材９６に沿って平行に配置された下がり天井１０２と、によって構成されており、内部に屋内収納スペース１０４を備えている。なお、天井材９６の内装材９８側の端部近傍には、分岐配線５０を挿通させるための小孔１０６が形成されている。
【００５３】
上記ケーブル収納部９４における天井材９６の下方には、第１実施形態で説明した電源部４６が横置き式で配設されている。電源部４６は、電源本体部４６Ａの外周一部が外壁２２の内装材９８に形成された外壁開口部９２の上縁部に固定されている。また、電源部４６が横置き式で配置されたことにより、連結支持部４６Ｂも横置き式の配置となり、この連結支持部４６Ｂに、充電ケーブル４０が巻き取られたスプール４２が着脱可能に取り付けられている。なお、着脱機構は前述した第１実施形態で説明したものが用いられているが、引っ掛けシーリングを利用してもよいし、他の構成を採用してもよい。また、スプール４２がケーブル収納部９４内に収納された状態では、スプール４２の外周一部が外壁開口部９２内へ進入した状態で収納されている。
【００５４】
上記構成の外壁２２の外装材２８における外壁開口部９２の形成位置には、第１実施形態のものより薄型にされたケースとしてのフード１０８が取り付けられている。このフード１０８は下方が開放されており、外装材２８に沿うように延在されている。また、フード１０８の上端部にはヒンジ１１０が設けられている。このため、フード１０８は、ヒンジ１１０回りに図８の反時計方向へ回動可能とされている。また、フード１０８の閉止状態では、外壁開口部９２が建物側方から隠蔽されている。なお、フード１０８の内側には、第１実施形態と同様構成の屋外灯３４が取り付けられている。
【００５５】
さらに、外装材２８における外壁開口部９２の側方には、プーリ１１２が取り付けられている。プーリ１１２には、充電ケーブル４０のケーブル本体４０Ａが巻き掛けられている。
【００５６】
（作用・効果）
図８に示されるように、本実施形態によれば、建物１０の外壁２２の屋内側に屋内収納スペース１０４を備えたケーブル収納部９４が設けられており、この屋内収納スペース１０４に充電手段である充電ケーブル４０及びスプール４２が電源部４６の連結支持部４６Ｂに支持された（吊り下げられた）状態で収納される。この収納状態を建物１０の外壁２２の側方から見ても、フード１０８に遮られるため、充電ケーブル４０及びスプール４２が見えることはない。その結果、本実施形態によれば、建物１０の外壁２２を利用して充電手段である充電ケーブル４０及びスプール４２を収納する場合に建物１０の外観品質を良好に維持することができる。
【００５７】
また、図９に示されるように、自動車４４（図４参照）への充電時には、コネクタ４０Ｂを把持して充電ケーブル４０をスプール４２から引き出せばよい。充電ケーブル４０を引き出すと、スプール４２が第１実施形態と同様に連結支持部４６Ｂ及び支軸５８回りに回転し、プーリ１１２で引出し方向が９０度変更されて充電ケーブル４０を引き出すことができる。
【００５８】
一方、図１０に示されるように、充電ケーブル４０の収納状態から自動車４４での旅行等により長距離を走行する場合には、以下の要領でスプール４２が連結支持部４６Ｂから取外される。
【００５９】
まず、フード１０８がヒンジ１１０回りに上方へ回動される。これにより、外壁開口部９２が開放される。その後は、第１実施形態のときと同様にしてスプール４２が取外される。すなわち、フード１０８の近くへ行き、キー７８の解除ボタン８０を押す。これにより、キー７８から解除信号が電波として送信され、この電波はアンテナ８２に受信される。アンテナ８２に解除信号が受信されると、ソレノイド７６が励磁される。これにより、ロックピン７４が、付勢手段の不勢力に抗してピン保持部７２の底部側へ引き込まれる。このため、ロックピン７４の先端部が支軸５８のロック孔６４から退避され、両者の係合状態が解除される。その結果、ロック部材６６を支軸５８から抜き取ることができ、更にはスプール４２を支軸５８から抜き取って取外すことができる。
【００６０】
このように本実施形態によっても、自動車４４で旅行等するときに充電手段である充電ケーブル４０及びスプール４２を取外して持ち運ぶことができる。このため、充電スタンドを探さなくても、充電ケーブル４０を接続できる場所にさえ確保することができれば、充電が可能になる。その結果、旅行時等の不便さをある程度解消することができる。これ以外にも、第１実施形態と同様の作用並びに効果が得られる。
【００６１】
また、本実施形態では、ケーブル収納部９４が外壁２２の屋内側に設けられているので、フード１０８の外壁２２からの突出量を少なくすることができる。このため、フード１０８の奥側に充電ケーブル４０が巻き取られたスプール４２が収納されていることが外部から解り辛い（第三者が想像し難い）。このため、盗難防止効果が高くなる。
【００６２】
なお、本実施形態では、フード１０８を手動で開閉させる構成を採ったが、これに限らず、キー７８を利用してフード１０８を自動で開閉させるようにしてもよい。
【００６３】
〔第３実施形態〕
以下、図１１〜図１３を用いて、本発明に係る充電ケーブル収納装置の第３実施形態について説明する。なお、前述した第１実施形態又は第２実施形態と同一構成部分については、同一番号を付してその説明を省略する。
【００６４】
図１１（Ａ）に示されるように、この第３実施形態では、前述した第２実施形態の充電ケーブル収納装置９０に清浄装置１２０を付加した点に特徴がある。
【００６５】
清浄装置１２０は、側面視でフード１０８の下端部に配設されている。詳細には、図１２に示されるように、清浄装置１２０は、有底円筒形状に形成されており、左右対称形状の本体部１２２を突き合わせることにより構成されている。清浄装置１２０の底部１２２Ａの軸芯部には、充電ケーブル４０のケーブル本体４０Ａを挿通させるための円形の貫通孔１２４が形成されている。この貫通孔１２４の内径は、ケーブル本体４０Ａの外径よりも僅かに小さく設定されている。このため、ケーブル本体４０Ａがその長手方向へ移動すると、ケーブル本体４０Ａの外周面に底部１２２Ａの貫通孔１２４の内周縁１２４Ａが相対的に摺接するようになっている。つまり、この内周縁１２４Ａが清浄リップとして機能する。
【００６６】
なお、上述した清浄装置１２０はゴム製とされている。また、清浄装置１２０を構成する左右一対の本体部１２２は、分割線に沿って設けられた蝶番等のヒンジ１２５によって一方が他方に対して相対回転可能に構成されている。また、外壁２２と対向する方の本体部１２２は、平面視で略Ｍ字状に形成された金属製又は樹脂製のブラケット１２６によって外装材２８に取り付けられている。
【００６７】
（作用・効果）
上記構成によれば、充電時に充電ケーブル４０をスプール４２から引き出すと、清浄装置１２０の内周縁１２４Ａがケーブル本体４０Ａの外周面上を摺接する。また、充電が終了し、充電ケーブル４０をスプール４２に巻き取らせる際にも、清浄装置１２０の内周縁１２４Ａがケーブル本体４０Ａの外周面上を摺接する。これにより、ケーブル本体４０Ａの外周面から塵や埃が除去され、ケーブル本体４０Ａの外周面（表面）が清浄される。その結果、充電する度に清浄された充電ケーブル４０を使うことができ、使用者に清潔感を与えることができる。
【００６８】
また、清浄装置１２０を弾性材料で構成し、その底部１２２Ａにおける貫通孔１２４の内周縁１２４Ａが清浄リップとしてケーブル本体４０Ａの外周面に弾性的に圧接されるように構成したので、廉価な構成で充電ケーブル４０のケーブル本体４０Ａを清浄することができる。
【００６９】
なお、本実施形態では、二つ割の本体部１２２を突き合わせることにより清浄装置１２０を構成したが、これに限らず、図１３（Ａ）、（Ｂ）に示されるように、一方の本体部１３０の内径を他方の本体部１３２の外径よりも僅かに大きく設定して、一方の本体部１３０に対して他方の本体部１３２が一部が重合するように構成してもよい。この場合、一方の本体部１３２の底部１３２Ａの中央部に形成された半円形状の切欠１３４の内周面１３４Ａ及び他方の本体部１３０の底部１３０Ａの中央部に形成された半円形状の切欠１３６の内周面１３６Ａが、ケーブル本体４２Ａの外周面に弾性的に圧接されて清浄リップとして機能する。また、図１２に示される清浄装置１２０の場合には、ケーブル本体４０Ａの外周面における一対の本体部１２２の分割位置（特にヒンジ１１０で連結されない側）で拭き残しが線状に残る可能性があるが、図１３（Ａ）、（Ｂ）に示される変形例の場合には、一方の本体部１３０に対して他方の本体部１３２が一部重合されているため、このような拭き残しが残らないというメリットがある。
【００７０】
なお、上述した各実施形態では、屋外灯３４のフード２６、１０８を利用して充電ケーブル収納装置２４、９０を構成したが、これに限らず、他の用途のケースを用いてもよい。また、請求項１に記載された発明には、ケースが充電ケーブル収納装置の専用品である場合も含まれる。
【符号の説明】
【００７１】
１０      建物
２２      外壁
２４      充電ケーブル収納装置
２６      フード（ケース）
３２      照明部
３４      屋外灯
３８      屋外収納スペース
４２      スプール（巻取り手段）
４６Ｂ    連結支持部（充電手段取付部）
６４      ロック孔（ロック手段）
６６      ロック部材（ロック手段）
７４      ロックピン（ロック手段）
７６      ソレノイド（ロック手段）
７８      キー（ロック手段）
８２      アンテナ（ロック手段）
９０      充電ケーブル収納装置
９２      外壁開口部
１０４    屋内手段スペース
１０８    フード（ケース）
１２０    清浄装置
１２４Ａ  内周縁（リップ部）
【図１】
0005557600.tif 000002
【図２】
0005557600.tif 000003
【図３】
0005557600.tif 000004
【図４】
0005557600.tif 000005
【図５】
0005557600.tif 000006
【図６】
0005557600.tif 000007
【図７】
0005557600.tif 000008
【図８】
0005557600.tif 000009
【図９】
0005557600.tif 000010
【図１０】
0005557600.tif 000011
【図１１】
0005557600.tif 000012
【図１２】
0005557600.tif 000013
【図１３】
0005557600.tif 000014